(57)【要約】【課題】原稿を一枚ずつ搬送して画像を読み取る画像読取装置において、画像の読み取り中に異常が発生して読み取りが中断しても、読み取り再開後に得られた読取データを異常発生前に得られた読取データと共に一つのファイルとして変換できるようにする。【解決手段】制御部は、スキャナ部を駆動することにより、スキャンデータを順次取り込み記憶媒体に記憶すると共に(S110〜S130)、原稿１ページのスキャンが完了する度にスキャンデータの末尾に識別情報を付与する(S140〜S160)。また、全原稿のスキャンが完了すると、全スキャンデータを所定形式のファイルに変換し(S170〜S190)、読み取り途中でスキャナ部に異常が発生すると(S120-YES)、識別情報に基づき、読み取り途中の不要なスキャンデータを削除し(S210)、異常回復後、読み取りを再開すると(S260-YES)、スキャナ部から取り込んだスキャンデータを、異常発生前のスキャンデータに続けて記憶する。【選択図】図２
2010109896.tif 000002
【特許請求の範囲】
【請求項１】
読取対象となる原稿を一枚ずつ搬送して、当該原稿から画像を読み取る読取手段と、
前記読取手段の動作の異常を検出する異常検出手段と、
前記読取手段から画像の読取データを取り込み、記憶媒体に記憶すると共に、前記画像読取手段による全原稿の読み取りが完了すると、当該記憶媒体に記憶された読取データを、所定形式の一つのファイルに変換するデータ処理手段と、
を備えた画像読取装置であって、
前記データ処理手段は、
前記読取手段の読取動作中に、前記異常検出手段にて前記読取手段の異常が検出されると、前記読取手段からの読取データの取り込みを一時停止し、その後、前記読取手段の読取動作が正常に回復すると、前記読取手段からの読取データの取り込みを再開して、取り込み再開後の読取データを、前記記憶媒体に記憶されている異常検出前の読取データに続けて一つの読取データとして前記記憶媒体に記憶することを特徴とする画像読取装置。
【請求項２】
前記データ処理手段は、
前記読取手段にて原稿一枚分の画像が読み取られる度に、前記読取手段から取り込んだ原稿１枚分の読取データに１ページ分の読取データであることを表す識別情報を付加し、
前記異常検出手段にて前記読取手段の異常が検出されて前記読取データの取り込みを一時停止した後、前記読取手段の読取動作が正常に回復して、前記読取データの取り込みを再開したときには、前記読取手段の異常が検出される前に最後に取り込んだ１ページ分の読取データを前記識別情報にて識別し、その識別した１ページ分の読取データに続くように、取り込み再開後の読取データを前記記憶媒体に記憶することを特徴とする請求項１に記載の画像読取装置。
【請求項３】
前記データ処理手段は、
前記識別情報を、前記読取手段から取り込んだ原稿１枚分の読取データの末尾に付加し、
前記異常検出手段にて前記読取手段の異常が検出されて前記読取データの取り込みを一時停止したときには、前記記憶媒体に記憶された読取データの中から、最後に付加した識別情報に続けて記憶した読取データを削除することを特徴とする請求項２に記載の画像読取装置。
【請求項４】
当該画像読取装置には、使用者に情報を通知するための表示手段が設けられており、
前記データ処理手段は、前記異常検出手段にて前記読取手段の異常が検出されて前記読取データの取り込みを一時停止したときには、前記識別情報に基づき、前記記憶媒体に記憶された読取データの中から、前記読取手段により正常に読み取られた最後のページの読取データを識別し、その識別した読取データに基づき最後のページの画像を前記表示手段に表示することを特徴とする請求項２又は請求項３に記載の画像読取装置。
【発明の詳細な説明】
【技術分野】
【０００１】
本発明は、原稿を一枚ずつ搬送して画像を読み取り、その読み取りにより得られた原稿複数枚分の画像の読取データを、所定形式の一つのファイルに変換して出力する画像読取装置に関する。
【背景技術】
【０００２】
画像読取装置においては、通常、原稿から読み取った画像の読取データを、パーソナルコンピュータ（以下単にパソコンという）等で扱うことが可能な所定形式（フォーマット）に変換して、出力するようにされている（例えば、特許文献１等参照）。
【０００３】
また、原稿を一枚ずつ搬送する原稿自動送り装置（所謂、ＡＤＦ：Auto Document Feeder ）を備え、ＡＤＦに載置された全原稿の画像を読み取った後、その原稿複数枚分の読取データを一つのファイルに変換するように構成されたものが知られている。
【特許文献１】特開２００６−１６５７５０号公報（段落［０００３］等）
【発明の開示】
【発明が解決しようとする課題】
【０００４】
ところで、上記のように、原稿複数枚分の読取データを一つのファイルに変換するよう構成された画像読取装置において、例えば、画像の読み取り中に、紙詰まり等によって原稿を正常に搬送できなった場合には、異常解消後に、全原稿をＡＤＦに載置し直し、画像の読み取りを最初からやり直す必要があった。
【０００５】
このため、例えば、１００枚の原稿のうち、９９枚目の画像読取時に異常が生じた場合でも、異常解消後は、再度１枚目から画像の読み取りを行わなければならず、その読み取りに時間がかかり、使用者にとっては非常に不便である、という問題があった。
【０００６】
本発明は、こうした問題に鑑みなされたものであり、原稿を一枚ずつ搬送して画像を読み取ることにより得られた原稿複数枚分の読取データを一つのファイルに変換して出力する画像読取装置において、画像の読み取り中に異常が発生して読み取りが中断しても、読み取り再開後に得られた読取データを異常発生前に得られた読取データと共に一つのファイルとして変換できるようにすることを目的とする。
【課題を解決するための手段】
【０００７】
かかる目的を達成するためになされた請求項１に記載の画像読取装置においては、読取対象となる原稿を一枚ずつ搬送して、当該原稿から画像を読み取る読取手段と、この読取手段の動作の異常を検出する異常検出手段と、データ処理手段とが備えられている。
【０００８】
そして、データ処理手段は、読取手段から画像の読取データを取り込み、記憶媒体に記憶すると共に、画像読取手段による全原稿の読み取りが完了すると、記憶媒体に記憶された読取データを所定形式の一つのファイルに変換する。
【０００９】
また、データ処理手段は、読取手段の読取動作中に、異常検出手段にて読取手段の異常が検出されると、読取手段からの読取データの取り込みを一時停止し、その後、読取手段の読取動作が正常に回復すると、読取手段からの読取データの取り込みを再開して、取り込み再開後の読取データを、記憶媒体に記憶されている異常検出前の読取データに続けて一つの読取データとして記憶媒体に記憶する。
【００１０】
つまり、読取手段による原稿画像の読み取り中に、原稿の搬送経路等で異常が生じ、画像の読み取りが中断しても、その後、異常が解消されて、読取手段が読み取りを再開すると、その再開後に得られる読取データが、記憶媒体に記憶された異常発生前の読取データ連続的に追加される。
【００１１】
このため、本発明の画像読取装置によれば、読み取り再開後、原稿の読み取りが完了した際には、データ処理手段によって、読取手段の異常発生前に得られた読取データと、読み取り再開後に得られた読取データとが、一つのファイルに変換されることになる。
【００１２】
よって、本発明によれば、読取手段の異常動作によって、読取対象となる複数の原稿からの画像の読み取り途中で画像の読み取りが中断した際、従来のように、原稿の読み取りを最初からやり直すことなく、全原稿の読取データを一つのファイルに変換することができるようになり、その読み取りに要する時間を短縮することができ、使用者に対し、極めて使い勝手のよい画像読取装置を提供できる。
【００１３】
ところで、データ処理手段において、読取手段からの読取データの取り込みを再開した際、その再開後に取り込んだ読取データを、記憶媒体に記憶された読取データにそのまま追加するようにすると、読取手段に異常が生じた際に原稿から読み取っていた不要な読取データ（原稿１枚分の画像よりも少ない原稿画像読取途中のデータ）が残ることが考えられる。
【００１４】
そして、このように記憶媒体に記憶される読取データに、不要な読取データが残ると、原稿画像の読取完了後に生成されるファイルにも、不要な画像成分が含まれてしまう。
そこで、こうした不要な読取データが記憶媒体に残らないようにするには、データ処理手段を、請求項２に記載のように構成するとよい。
【００１５】
すなわち、請求項２に記載の画像読取装置において、データ処理手段は、読取手段にて原稿一枚分の画像が読み取られる度に、読取手段から取り込んだ原稿１枚分の読取データに１ページ分の読取データであることを表す識別情報を付加する。
【００１６】
また、データ処理手段は、異常検出手段にて読取手段の異常が検出されて読取データの取り込みを一時停止した後、読取手段の読取動作が正常に回復して、読取データの取り込みを再開したときには、読取手段の異常が検出される前に最後に取り込んだ１ページ分の読取データを識別情報にて識別し、その識別した１ページ分の読取データに続くように、取り込み再開後の読取データを記憶媒体に記憶する。
【００１７】
このため、請求項２に記載の画像読取装置によれば、データ処理手段が読取データの取り込みを再開して、読取データを記憶媒体に記憶することによって、記憶媒体に記憶されていた不要な読取データは除去されることになる。よって、画像の読取完了後に生成されるファイルに、不要な画像成分が含まれるのを防止できる。
【００１８】
なお、記憶媒体に不要な読取データが残るのをより確実に防止するには、データ処理手段を請求項３に記載のように構成するとよい。
すなわち、請求項３に記載の画像読取装置において、データ処理手段は、識別情報を、読取手段から取り込んだ原稿１枚分の読取データの末尾に付加し、異常検出手段にて読取手段の異常が検出されて、読取データの取り込みを一時停止したときには、記憶媒体に記憶された読取データの中から、最後に付加した識別情報に続けて記憶した読取データを削除する。
【００１９】
従って、請求項３に記載の画像読取装置によれば、記憶媒体に記憶された読取データの中から、不要な読取データを確実に削除することが可能となり、画像の読取完了後に生成されるファイルに不要な画像成分が含まれるのをより確実に防止することができる。
【００２０】
次に、請求項４に記載の画像読取装置においては、使用者に情報を通知するための表示手段が設けられており、データ処理手段は、異常検出手段にて読取手段の異常が検出されて読取データの取り込みを一時停止したときには、識別情報に基づき、記憶媒体に記憶された読取データの中から、読取手段により正常に読み取られた最後のページの読取データを識別し、その識別した読取データに基づき最後のページの画像を表示手段に表示する。
【００２１】
このため、請求項４に記載の画像読取装置によれば、読取手段に異常が発生して画像の読み取りを中断した際、使用者に対し、画像の読み取りが完了した最終ページを画像で通知することができ、使用者は、表示手段への表示画像から、読み取りを再開させる際に、続けて読み取らせるべき原稿を極めて簡単に検出することができるようになる。
【発明を実施するための最良の形態】
【００２２】
以下に本発明の実施形態を図面と共に説明する。
図１は、本発明が適用された実施形態の画像読取装置２の構成を表すブロック図である。
【００２３】
図１に示すように、画像読取装置２は、原稿から画像を読み取るスキャナ部１０、このスキャナ部１０の異常を検出するエラー検出部１２、画像の読取指令等を入力するための操作部１４、画像読取装置２の動作状態等、各種メッセージを表示するための表示部１６、及び、これら各部を制御する制御部３０を備える。なお、これら各部は、バス２２により互いに接続されている。
【００２４】
ここで、スキャナ部１０は、原稿載置部に載置された複数毎の原稿の中から、原稿を一枚ずつ取り込み、画像読取用のラインセンサに向けて搬送する原稿自動送り装置（ＡＤＦ）を備えた周知のものであり、複数の原稿から画像を連続的に読み取ることができる。
【００２５】
また、エラー検出部１２は、例えば、ＡＤＦによる原稿の搬送経路上で紙詰まり（所謂ジャム）等が発生して、原稿を搬送できなくなったときに、その旨を検出して、検出信号を発生するセンサにて構成されている。
【００２６】
次に、制御部３０は、ＣＰＵ、ＲＯＭ、ＲＡＭ等からなるマイクロコンピュータにて構成されており、ＲＯＭに記憶されたプログラムに従いスキャナ部１０を駆動制御し、原稿載置部に載置された原稿から画像を順次読み取る。
【００２７】
すなわち、制御部３０は、操作部１４等から画像の読取指令が入力されると、スキャナ部１０を駆動して、原稿載置部に載置された原稿から画像を順次読み取らせ、スキャナ部１０から出力される読取データ（以下、スキャンデータという）を順次取り込む。
【００２８】
そして、スキャナ部１０による全原稿の読み取りが完了すると、制御部３０は、スキャナ部１０から取得した原稿複数枚分のスキャンデータを、パソコン等で扱うことができる所定形式（例えば、ＰＤＦ（Portable Document Format）、ＴＩＦＦ（Tagged Image File Format）等のフォーマット）の１つのファイルに変換する。
【００２９】
また、画像読取装置２には、フラッシュメモリ等の外部メモリを装着可能で、その装着された外部メモリにデータを書き込むための外部メモリ装着部１８、及び、社内ＬＡＮ等のネットワークに接続されて、ネットワーク２上の情報処理端末（パソコン等）やファイルサーバとの間でデータ通信を行う通信部２０が設けられている。
【００３０】
このため、本実施形態の画像読取装置２は、操作部１４若しくはネットワーク上の情報処理端末を介して操作することができ、使用者は、その操作によって、制御部３０にて生成されたファイルの出力先を、外部メモリ装着部１８に装着された外部メモリ、ネットワーク上の情報処理端末若しくはファイルサーバに設定できる。
【００３１】
そして、制御部３０は、その設定された出力先に、ファイルを出力する。
次に、図２は、制御部３０が、スキャナ部１０を駆動して原稿複数枚分のスキャンデータを取り込み、そのスキャンデータを一つのファイルに変換して出力する際に実行する制御処理を表すフローチャートである。なお、この制御処理は、操作部１４若しくはネットワーク上の情報処理端末から画像の読取指令が入力された際に実行される。
【００３２】
図２に示すように、この制御処理を開始すると、制御部３０は、Ｓ１１０（Ｓはステップを表す）にて、スキャナ部１０のＡＤＦを駆動することにより原稿を搬送させ、続くＳ１２０にて、エラー検出部１２にてジャム等のエラーが検出されていないかを判断し、エラーが検出されていなければ、Ｓ１３０にて、スキャナ部１０のラインセンサにより画像の読み取り（スキャン）を実行させる、といった手順で、画像の読み取りを行う。なお、この読み取りにより得られたスキャンデータは、制御部３０に内蔵されたスキャンデータ保存用のＲＡＭに格納される。
【００３３】
また、制御部３０は、Ｓ１１０〜Ｓ１３０の一連の読み取り動作が終了すると、Ｓ１４０にて、原稿１ページ分のスキャンが完了したか否かを判断し、原稿１ページ分のスキャンが完了していなければ、再度Ｓ１１０に移行して、上記一連の読み取り動作を実行する。
【００３４】
一方、原稿１ページ分のスキャンが完了していれば、制御部３０は、今回読み取った原稿のページ番号に基づきスキャンデータの識別情報を生成し（Ｓ１５０）、ＲＡＭに記憶されているスキャンデータの末尾に、その識別情報を付与する（Ｓ１６０）。
【００３５】
なお、ページ番号は、図２の制御処理が開始されてから１１０〜Ｓ１４０の処理にて画像を取り込んだ原稿の枚数に対応する値であり、本実施形態では、Ｓ１４０にて原稿１ページ分のスキャンが完了したと判断される度に、「１」、「２」、「３」…と順次更新される。
【００３６】
そして、その後、制御部３０は、スキャナ部１０の原稿載置部に次に画像を読み取るべき次ページの原稿があるか否かを判断し（Ｓ１７０）、次ページの原稿があれば、再度Ｓ１１０に移行し、次ページの原稿がなければ、Ｓ１８０に移行して、ＲＡＭに記憶されている全ページ分のスキャンデータを、所定形式の一つのファイルに変換する。
【００３７】
また、このようにスキャンデータをファイルに変換すると、制御部３０は、Ｓ１９０に移行して、その変換したファイルを、予め設定された出力先（つまり、外部メモリ若しくはネットワーク上の情報処理端末又はファイルサーバ）に出力する。なお、制御部３０は、Ｓ１９０にてファイルを出力すると、次回の読み取りのために、ＲＡＭに保存されているスキャンデータを消去する。
【００３８】
次に、Ｓ１２０にて、エラー検出部１２にてジャム等のエラーが検出されたと判断された場合には、スキャナ部１０による画像の読み取りを継続することができないので、制御部３０は、Ｓ２００の処理に移行し、取り込みが完了している原稿１ページ分のスキャンデータの末尾に付与した識別情報に基づき、ＲＡＭに記憶されているスキャンデータの中から、１ページ分の読み取りが未完了で再スキャンの対象となるページのスキャンデータを識別する。
【００３９】
つまり、Ｓ２００では、ＲＡＭに記憶されているスキャンデータのうち、識別情報が付与されていないスキャンデータを、再スキャンの対象となるページのスキャンデータとして識別する。
【００４０】
また、１ページ目の原稿から画像を取り込んでいるときに、Ｓ１２０にてエラーが検出された際には、ＲＡＭに、識別情報が付与されたスキャンデータが記憶されていない。従って、この場合、Ｓ２００では、ＲＡＭに識別情報が付与されたスキャンデータが記憶されていないことに基づいて、１ページ目の原稿のスキャンデータが、再スキャンの対象となるページのスキャンデータとして識別されることになる。
【００４１】
次に、制御部３０は、Ｓ２００で識別した再スキャン対象となるページのスキャンデータをＲＡＭから削除し（Ｓ２１０）、表示部１６に所定のメッセージを表示することで、使用者にエラーの発生及びエラーの回復方法を通知する（Ｓ２２０）。
【００４２】
なお、本実施形態では、原稿１ページ分の読み取りが完了する度に、スキャンデータの末尾に識別情報が付与されるため、Ｓ２１０においては、ＲＡＭに記憶された全スキャンデータの内、そのスキャンデータの末尾から、そのスキャンデータに最後に付加された識別情報までのデータが削除されることになる。
【００４３】
また、Ｓ２２０での通知は、例えば、「スキャン中にエラーが発生しました。原稿が詰まっていますので取り除いてください。」といった文字列や、エラー内容を表す画像を表示部１６に表示することにより行われる。
【００４４】
そして、当該制御処理の起動時の読取指令が、ネットワーク上の情報処理端末からのものであれば、制御部３０は、表示部１６へメッセージを表示すると共に、通信部２０を介して、エラーが発生した旨を情報処理端末に通知する。
【００４５】
次に、上記のようにエラーメッセージを表示部１６に表示すると、制御部３０は、エラー検出部１２からの検出信号若しくは操作部１４からの復帰指令を監視して、スキャナ部１０のエラーが解消されたか否かを判断することにより、スキャナ部１０が正常状態に回復するのを待つ（Ｓ２３０）。
【００４６】
つまり、制御部３０は、エアー検出部１２にてスキャナ部１０の異常が検出されなくなって、エアー検出部１２から検出信号が入力されなくなるか、あるいは、使用者が操作部１４を操作することにより、操作部１４から復帰指令が入力されると、スキャナ部１０が正常状体に回復したと判断する。
【００４７】
そして、スキャナ部１０が正常状態に回復すると（Ｓ２３０−ＹＥＳ）、制御部３０は、表示部１６に、ＲＡＭに記憶されたスキャンデータの中から、末尾に識別情報が付与された最後の１ページ分のスキャンデータ、すなわち、最後に読み取りが完了された１ページ分のスキャンデータを識別し、その識別したスキャンデータに基づき最後の１ページの縮小画像（所謂サムネイル）を作成し、表示部１６に表示することで、再スキャン対象となるページの原稿を使用者に通知する（Ｓ２４０）。
【００４８】
なお、Ｓ２４０では、ＲＡＭに記憶されたスキャンデータのページ数から、再スキャン対象となるページの原稿のページ番号を求め、そのページ番号を表示部１６に表示するようにしてもよい。
【００４９】
こうして、Ｓ２４０にて、再スキャン対象となるページを使用者に通知すると、制御部３０は、操作部１４から再スキャンの開始若しくはスキャンの終了といった操作指令が入力されるのを待つ（Ｓ２５０）。
【００５０】
そして、その後、操作部１４から操作指令が入力されると、制御部３０は、その指令内容が再スキャンの開始であるかスキャンの終了であるかを判断し（Ｓ２６０）、再スキャンの開始指令であれば（Ｓ２６０−ＹＥＳ）、Ｓ１１０に移行して、再スキャン対象となるページ以降のスキャンを開始し、逆に、スキャンの終了指令であれば（Ｓ２６０−ＮＯ）、Ｓ１８０に移行して、ＲＡＭに記憶されている全スキャンデータを一つのファイルに変換する。
【００５１】
なお、再スキャンの開始指令入力後（Ｓ２６０−ＹＥＳ）、Ｓ１３０の処理で読み取られるスキャンデータは、スキャナ部１０の異常検出前に読み取られてＲＡＭに記憶されている最後のページのスキャンデータに続けて記憶される。
【００５２】
以上説明したように、本実施形態の画像読取装置２においては、スキャナ部１０による画像の読み取り中に、スキャナ部１０に異常が発生すると、制御部３０は、スキャナ部１０からのスキャンデータの取り込みを一時停止し、その後、スキャナ部１０が正常になり、使用者から再スキャンの開始（換言すればスキャンの継続）が指示されると、スキャナ部１０からのスキャンデータの取り込みを再開する。
【００５３】
そして、制御部３０は、その読み取り再開後に得られたスキャンデータを、異常発生前にＲＡＭ内に記憶したスキャンデータに続けて記憶し、スキャナ部１０が原稿載置部に載置された全原稿の読み取りを完了すると、ＲＡＭ内に記憶された全スキャンデータを、所定形式の一つのファイルに変換する。
【００５４】
このため、本実施形態の画像読取装置２によれば、スキャナ部１０の異常動作によって、複数枚の原稿からの画像の読み取りが中断した際、従来のように、原稿の読み取りを最初からやり直す必要はなく、複数枚の原稿からの画像の読み取りに要する時間を短縮することができる。
【００５５】
また、制御部３０は、スキャナ部１０から取り込んだスキャンデータをＲＡＭに記憶する際、原稿１ページ分のスキャンデータの末尾に識別情報を付与し、スキャナ部１０の異常動作によって、スキャンデータの取り込みを中断すると、その識別情報に基づき、読み取り途中の原稿のスキャンデータを除去する。
【００５６】
このため、画像の読み取り途中で、スキャナ部１０に異常が発生した際に、ＲＡＭ内に不要なスキャンデータが残り、読み取り再開時後に、その不要なスキャンデータに続けて、新たに読み取ったスキャンデータが記憶されるのを防止できる。このため、全原稿からの画像の読取完了後に生成されるファイルは、各原稿から読み取った画像だけで構成されることになり、そのファイルに不要な画像成分が含まれるのを防止できる。
【００５７】
また更に、本実施形態では、画像の読み取り途中でスキャナ部１０に異常が生じ、その後、スキャナ部１０が正常に復帰して、画像の読み取りを再開する際には、表示部１６に、最後に読み取った原稿の縮小画像が表示される。このため、複数の原稿からの画像の読み取りを継続する際、使用者は、読み取りを継続すべき次ページの原稿を簡単に特定することができるようになり、画像読取装置２の使い勝手を向上できる。
【００５８】
また、本実施形態の画像読取装置２においては、スキャナ部１０に異常が発生して、スキャンデータの取り込みを一時停止した後、スキャナ部１０が正常に復帰した際、使用者は、スキャンの終了指令を入力することで、ＲＡＭに記憶されている全スキャンデータを一つのファイルに変換させることができる。
【００５９】
このため、スキャナ部１０に異常が発生するまでに取り込んだ原稿のスキャンデータが満足できるものである場合、使用者は、スキャンを継続させることなく、そのスキャンデータを一つのファイルに変換させることができ、原稿の読み取りに要する時間を短縮することが可能となる。
【００６０】
なお、本実施形態においては、スキャナ部１０が、本発明の読取手段に相当し、エラー検出部１２が、本発明の異常検出手段に相当し、制御部３０が、本発明のデータ処理手段に相当し、表示部１６が、本発明の表示手段に相当する。
【００６１】
以上、本発明の一実施形態について説明したが、本発明は、上記実施形態に限定されるものではなく、本発明の要旨を逸脱しない範囲内にて種々の態様をとることができる。
例えば、上記実施形態では、データ処理手段としての制御部３０は、スキャナ部１０から取り込んだスキャンデータを、制御部３０に内蔵されたスキャンデータ保存用のＲＡＭに記憶するものとして説明したが、スキャナ部１０で連続的に画像を読み取り可能な原稿の枚数が多い場合には、ＲＡＭの容量も大きくする必要があるため、スキャンデータ保存用の記憶媒体（メモリやハードディスク）を別途設けるようにしてもよい。
【００６２】
また、スキャンデータ保存用の記憶媒体は、必ずしも画像読取装置２に設ける必要はなく、例えば、外部メモリ装着部１８に装着された外部メモリを利用するようにしてもよい。また、例えば、ストリーミング方式で、スキャンデータをネットワーク上のファイルサーバに順次送信することで、スキャンデータをネットワーク上のファイルサーバに保存するようにしても、上記実施形態と同様、スキャンデータの保存時に、原稿１ページ分のスキャンデータ毎に識別情報を付与することで、全原稿からの画像の読み取り完了後に、全スキャンデータを一つのファイルに変換することができる。
【００６３】
また更に、上記実施形態では、識別情報は、原稿１ページ分のスキャンが完了する度に、そのスキャンデータの末尾に付与するものとして説明したが、識別情報は、必ずしもスキャンデータの末尾に付与する必要はなく、ＲＡＭに記憶された全スキャンデータの中から、原稿１ページ分のスキャンデータを識別できるように付与されていればよい。
【００６４】
一方、上記実施形態では、本発明を画像読取専用の装置に適用した場合について説明したが、本発明は、例えば、スキャナ、プリンタ、コピー機としての機能を有する複合機等、ＡＤＦ付きのスキャナ部１０を備えた装置であれば、上記実施形態と同様に適用して、同様の効果を得ることができる。
【図面の簡単な説明】
【００６５】
【図１】実施形態の画像読取装置の構成を表すブロック図である。
【図２】制御部にて画像読取のために実行される制御処理を表すフローチャートである。
【符号の説明】
【００６６】
２…画像読取装置、１０…スキャナ部、１２…エラー検出部、１４…操作部、１６…表示部、１８…外部メモリ装着部、２０…通信部、２２…バス、３０…制御部。
【図１】
2010109896.tif 000003
【図２】
2010109896.tif 000004